(57)【要約】  【課題】  一対の金属製サイドカーソルとこれらを連結する導電性ピニオンギアから構成される幅規制機構を用いた用紙収容装置において、一対のサイドカーソル若しくはピニオンギアのいずれか一つにしか接地部材が設けられていない場合でも、両サイドカーソルを確実に設置することができる用紙収納装置を提供する。  【解決手段】  サイドカーソル５２の幅方向摺動部５２ａに係合穴５２ｅを穿設し、底壁２１にはこの係合穴５２ｅに対して幅方向内方に位置するように係合突起２８を設けて、これらの係合穴５２ｅと係合突起２８とを結ぶように引張りコイルバネ５５が張架して、サイドカーソル５２を引張りコイルバネ５５によって常に幅方向内方へと付勢する。【選択図】      図３
2008001466.tif 000002
【特許請求の範囲】
【請求項１】
用紙が収納されるハウジングと、前記ハウジングの底面内側に回転自在に支持された導電性のピニオンギア及び、前記ハウジングの底面に沿って幅方向に摺動可能に配設され、前記ピニオンギアと噛合するラックギアが設けられた一対の金属製のサイドカーソルから構成され、前記ハウジング内に収納される用紙の幅方向の端部を整合する幅規制機構と、を備えた用紙収納装置において、
前記サイドカーソル若しくは前記ピニオンギアのいずれか一つには、前記サイドカーソルに帯電した電荷を逃がすため接地部材が接続されており、一対の前記サイドカーソルのうち、少なくとも一方のサイドカーソルには、該サイドカーソルを幅方向内側へと付勢する付勢手段が設けられていることを特徴とする用紙収納装置。
【請求項２】
前記付勢手段は、前記サイドカーソルと、前記ハウジングの底面に設けられた係合突起とを結ぶように張架された引張りコイルバネであることを特徴とする請求項１に記載の用紙収納装置。
【請求項３】
前記接地部材は線ばね材から形成されており、前記サイドカーソルに接続される部分には、クリック用の突出部が形成されており、前記サイドカーソルには、前記突出部と係合する係合部が設けられていることを特徴とする請求項１又は請求項２に記載の用紙収納装置。
【請求項４】
請求項１乃至請求項３のいずれかに記載の用紙収納装置を備え、該用紙収納装置が装着されたとき、前記接地部材と接触する位置に導電部材が設けられていることを特徴とする画像形成装置。
【発明の詳細な説明】
【技術分野】
【０００１】
本発明は、複写機、ファクシミリ及びプリンタ等の画像形成装置に用いられる用紙収納装置に関するものであり、特に収納される用紙の幅方向の端部を整合する幅規制機構を備えた用紙収納装置に関するものである。
【背景技術】
【０００２】
従来、複写機、ファクシミリ及びプリンタ等の画像形成装置には、多数枚の用紙を収容することができる給紙カセットが備えられている。このような画像形成装置に装着される給紙カセットの内部には、用紙積載板が設けられている。この用紙積載板は給紙方向後端両側を給紙カセットの側壁に回動自在に支持され、給紙方向前端の下面にはコイルバネ等の付勢手段が設けられている。
【０００３】
そして、用紙積載板の前端が上方に付勢されることにより、積載される用紙を自動的に押し上げ、用紙積載板に積載された最上位の用紙をピックアップローラに押圧して給送可能になるように構成されている。更に、ピックアップローラの下流には、分離パッド又はリタードローラのような分離手段が設けられており、これによって用紙積載板に積載された用紙は最上位から順に一枚ずつ装置本体内へと給送されるように構成されている。
【０００４】
しかし、上記のように構成された給紙カセットでは、用紙給送時に、用紙積載板上における最上位の用紙と２枚目の用紙との摩擦によって電荷を生じるが、その電荷は用紙積載板へと蓄積されることとなる。そして、この用紙積載板に蓄積された電荷は、放電されて装置本体内の制御回路の誤動作を引き起こしたり、用紙の補給時等にユーザの指が中板に触れたとき、放電ショックにより不快感を与えたりする恐れがある。
【０００５】
そこで、上記のように用紙積載板に蓄積された電荷を本体装置に落とすことを可能とし、電荷の放電による前記のような制御回路の誤動作やユーザの感電等を防止した用紙収納装置が提案されており、例えば、特許文献１には、復数枚の用紙を収納可能な容器部と、該容器部内において用紙を積載する用紙積載板と、用紙を給送手段に当接させるために、容器部内において該用紙積載板を付勢する付勢手段とを備え、該付勢手段の一部を容器部の外面へ延長し、この延長部によって用紙積載板に帯電する電荷を逃がすようにした用紙収容装置が開示されている。
【０００６】
ところで、近年では、複数の用紙サイズを収納可能なユニバーサルカセットが用いられるようになっており、このような給紙カセットに用いられる用紙の幅規制機構は、ラックギアが設けられたラック板と用紙に当接する規制部とから成る、用紙幅を規制するために用紙の給紙方向と直角な方向にスライド可能な一対のサイドカーソル及びラックギアに連結されるピニオンギアから構成されている。
【０００７】
また、各サイドカーソルのラック板のラックギアは互いに向かい合うように形成されており、一方のラックギアがピニオンギアを介して他方のラックギアに駆動連結されており、一方のサイドカーソルを用紙の給紙方向と直角な方向にスライドさせることにより、ピニオンギアを中心として一方のサイドカーソルのスライド方向と逆方向に他方のサイドカーソルが一方のサイドカーソルと同じ量だけスライドするようになっている。
【０００８】
そして、このように構成された給紙カセットにおいて、金属製のサイドカーソルを用いた場合には、用紙給送時に搬送される用紙とサイドカーソルとの摩擦によって電荷を生じ、その電荷がサイドカーソルへと蓄積されることとなるため、ピニオンギアを導電性材料から形成して、一対のサイドカーソルをピニオンギアを介して電気的に動通させて、サイドカーソルのいずれか一方に接地部材を設けることにより、両方のサイドカーソルに帯電する電荷を逃がすように構成されたユニバーサルカセットが提案されている。
【特許文献１】特開平１１−２２２３２９号公報
【発明の開示】
【発明が解決しようとする課題】
【０００９】
しかしながら、上記のように一方のサイドカーソルにのみ接地部材を設け、これにより両方のサイドカーソルの除電を行うようにした場合において、サイドカーソルのラックギアとピニオンギアとのガタにより、サイドカーソルとピニオンギアとの間に接触不良が生じ、導通不良が生じる場合がある。そして、このように導通不良が生じた場合には、サイドカーソルに帯電した静電気によって、画像形成装置に対し異常動作を引き起こすことがあった。
【００１０】
本発明は、上記問題点に鑑み、一対の金属製サイドカーソルとこれらを連結する導電性ピニオンギアから構成される用紙幅規制手段を用いた用紙収容装置において、一対のサイドカーソル若しくはピニオンギアのいずれか一つにのみ接地部材を設けた場合でも、両サイドカーソルを確実に接地することができる用紙収納装置を提供することを目的とする。
【課題を解決するための手段】
【００１１】
上記目的を達成するために本発明は、用紙が収納されるハウジングと、前記ハウジングの底面内側に回転自在に支持された導電性のピニオンギア及び、前記ハウジングの底面に沿って幅方向に摺動可能に配設され、前記ピニオンギアと噛合するラックギアが設けられた一対の金属製のサイドカーソルから構成され、前記ハウジング内に収納される用紙の幅方向の端部を整合する幅規制機構と、を備えた用紙収納装置において、前記サイドカーソル若しくは前記ピニオンギアのいずれか一つには、前記サイドカーソルに帯電した電荷を逃がすため接地部材が接続されており、一対の前記サイドカーソルのうち、少なくとも一方のサイドカーソルには、該サイドカーソルを幅方向内側へと付勢する付勢手段が設けられていることを特徴としている。
【００１２】
また本発明は、上記構成の用紙収納装置において、前記付勢手段は、前記サイドカーソルと、前記ハウジングの底面に設けられた係合突起とを結ぶように張架された引張りコイルバネであることを特徴としている。
【００１３】
また本発明は、上記構成の用紙収納装置において、前記接地部材は線ばね材から形成されており、前記サイドカーソルに接続される部分には、クリック用の突出部が形成されており、前記サイドカーソルには、前記突出部と係合する係合部が設けられていることを特徴としている。
【００１４】
また本発明は、上記構成の用紙収納装置を備えた画像形成装置において、用紙収納装置が装着されたとき、前記接地部材と接触する位置に導電部材が設けられていることを特徴としている。
【発明の効果】
【００１５】
本発明の第１の構成によれば、少なくとも一方の金属製サイドカーソルを付勢手段によって幅方向内方へと付勢することにより、金属製サイドカーソルに設けられたラックギアとピニオンギアとの噛合部にガタがあった場合でも、確実に金属製サイドカーソルがピニオンギアに接触されるようになり、金属製サイドカーソルとピニオンギアとの間に接触不良が生じることがないため、両方の金属製サイドカーソルのアースを確実に取ることができ、金属製サイドカーソルに帯電した静電気によって、画像形成装置に対し異常動作を引き起こすことが防止される。また、金属製サイドカーソルを幅方向内方へと付勢することにより、両金属製サイドカーソルのガタつきがなくなり、用紙整合が安定し、レジストレーション精度も向上する。
【００１６】
また、本発明の第２の構成によれば、上記第１の構成の用紙収納装置において、金属製サイドカーソルの付勢手段として圧縮バネを用いた場合には、金属製サイドカーソルの幅方向外側に圧縮バネを配設する必要があり、用紙収容装置のハウジングの大型化を招くこととなるが、引張りコイルバネであれば金属製サイドカーソルの幅方向内側に配設できるため、用紙収容装置のハウジングの大型化を招くことがない。
【００１７】
また、本発明の第３の構成によれば、上記第１又は第２の構成の用紙収納装置において、金属製サイドカーソルに設けられる係合部を、金属製サイドカーソルが用紙の定型サイズ幅に対応した位置に摺動されたとき突出部と係合する位置に設けておけば、突出部の係合部に係合する前後の抵抗力の変化によるクリック感により、金属製サイドカーソルが用紙の定型サイズ幅に対応した位置に摺動されたことを確認することができ、金属製サイドカーソルの位置合わせを容易に行うことができる。
【００１８】
また、本発明の第４の構成によれば、上記第１乃至第３のいずれかの構成の用紙収納装置を備えた画像形成装置において、用紙収容装置が装着されたとき、接地部材と接触する位置に導電部材を設けることにより、用紙収容装置が画像形成装置本体に装着されている状態では、確実に接地部材が導電部材を介して接地されるため、金属製サイドカーソルに帯電した静電気によって、画像形成装置に対し異常動作を引き起こすことが防止される。
【発明を実施するための最良の形態】
【００１９】
以下、図面を参照して本発明の実施形態について説明する。図１は本発明に係る給紙カセットを備えた画像形成装置の全体構成を示す概略構成図であり、右側を画像形成装置の前方側として図示している。図２は給紙カセットを画像形成装置本体から引き出した状態を示す斜視図である。ここで、本実施形態においては画像形成装置の一例としてプリンタを例示しているが、画像形成装置としてプリンタ以外の、例えば複写機やファクシミリ等であっても適用できることはいうまでもない。
【００２０】
先ず、図１を参照して画像形成装置１の概要について説明する。画像形成装置１では、画像形成動作を行う場合、図中時計回りに回転する感光体ドラム２が帯電ユニット３により一様に帯電され、原稿画像データに基づく露光ユニット（レーザ走査ユニット等）４からのレーザビームにより感光体ドラム２上に静電潜像が形成され、現像ユニット５により静電潜像に現像剤（以下、トナーという）が付着されてトナー像が形成される。
【００２１】
この現像ユニット５へのトナーの供給はトナーコンテナ６から行われる。なお、画像データはパーソナルコンピュータ（図示せず）等から送信される。また、感光体ドラム２の表面の残留電荷を除去する除電装置（図示せず）がクリーニング装置７の下流側に設けられている。
【００２２】
上記のようにトナー像が形成された感光体ドラム２に向けて、給紙カセット２０からピックアップローラ８によって送り出され、フィードローラ９とリタードローラ１０のニップ部にて捌かれた用紙が、用紙供給路１１及びレジストローラ対１２を経由して搬送され、転写ローラ１３（画像転写部）により感光体ドラム２の表面に形成されたトナー像が用紙に転写される。
【００２３】
そして、トナー像が転写された用紙は感光体ドラム２から分離され、定着ローラ対１４ａを有する定着部１４に搬送されてトナー像が定着される。定着部１４を通過した用紙は、用紙搬送路１５により装置上部に搬送され、排出ローラ対１６によって排出トレイ１７に排出される。
【００２４】
ここで、画像形成装置１本体の下部には、画像形成装置１本体の前面に開口する給紙カセット２０が装着される空間（以下、給紙カセット装着部という）１ａが設けられており、この給紙カセット装着部１ａに給紙カセット２０が装着されているが、給紙カセット２０への用紙の補給作業を容易にするため、給紙カセット２０は矢印Ａ方向に引き出すことによって、図２に示すように、画像形成装置１本体から取り外すことができるよう構成されている。
【００２５】
次に、図３〜図６を参照して本実施形態に係る給紙カセット２０について説明する。図３は給紙カセットを上方から見た斜視図である。図４は図３と同様に給紙カセットを上方から見た斜視図であるが、用紙積載板を除外して図示している。図５及び図６は給紙カセットに配設されたサイドカーソルの斜視図であり、図５は用紙搬送方向に向かって右側に配設されるサイドカーソルを図示しており、図６は用紙搬送方向に向かって左側に配設されるサイドカーソルを図示している。
【００２６】
図３に示すように、給紙カセット２０は、底壁２１と、この底壁２１の両側縁に底壁２１に対して垂直となるように設けられた一対の側壁２２と、底壁２１の後端縁に底壁２１に対して垂直となるように設けられた後壁２３と、底壁２１の前端縁に底壁２１に対して垂直となるように設けられたカセットカバー２４とによってハウジングが構成されている。なお、カセットカバー２４は、給紙カセット２０が画像形成装置１本体に装着された際に、その表面側（矢印Ｂから見た側）が外部に露出して画像形成装置１本体の外装面の一部を構成するようになっている。
【００２７】
また、両側壁２２の外面には、給紙カセット２０の画像形成装置１本体への装着方向（矢印Ｃの方向）に延びる突条２５がそれぞれ一体に形成されている。他方、画像形成装置１本体の給紙カセット装着部１ａの両側には、給紙カセット２０の着脱時に上記突条２５をガイドするガイドレール１ｂ（図２参照）がそれぞれ配設されており、給紙カセット２０装着時には、このガイドレール１ｂによって給紙カセット２０が所定の位置へと案内される。
【００２８】
そして、図３に示すように、給紙カセット２０のハウジング内部には、両側壁２２に回動自在に支持され、且つ、用紙が積載される用紙積載板３０が備えられている。この用紙積載板３０は、用紙が積載される載置板３０ａの給紙方向後端の両側縁に、垂直上方に屈曲するように一対の係合片３０ｂが一体形成されており、この係合片３０ｂを両側壁２２の内面に設けられた回動支点２６に係合させることよって、両側壁２２に対して回動自在に支持されている。
【００２９】
また、載置板３０ａの両側端及び後端には切欠き部がそれぞれ形成されており、積載される用紙サイズが小さい場合には、後述する後端カーソル４０及びサイドカーソル５１，５２が、給紙カセット２０の内方へと摺動できるようになっている。更に、載置板３０ａの前端の下面と底壁２１の上面との間には、図示しない圧縮コイルバネが配置されており、これによって用紙積載板３０が回動支点２６を中心に回動せしめられ、載置板３０ａに積載される用紙をピックアップローラ８に押圧するようになっている。
【００３０】
更に、給紙カセット２０のハウジング内部には、積載される用紙の後端を規制する後端カーソル４０と、積載される用紙の幅方向端を規制する幅規制機構５０が備えられている。後端カーソル４０は、底壁２１に摺動可能に取り付けられる搬送方向摺動部４０ａと、搬送方向摺動部４０ａの一端から垂直に立設され用紙の後端を整合する後端規制部４０ｂとから成り、底壁２１に設けられた案内レール２７に沿って、用紙搬送方向に摺動可能に配設されている。
【００３１】
幅規制機構５０は、図４に示すように、積載される用紙の搬送方向に向かって右側端を規制するサイドカーソル５１と、積載される用紙の搬送方向に向かって左側端を規制するサイドカーソル５２と、これらのサイドカーソル５１，５２に設けられたラックギア５１ｄ，５２ｄと噛合し、これらを駆動連結するピニオンギア５３とから構成されている。
【００３２】
図５及び図６に示すように、サイドカーソル５１，５２は、底壁２１に沿って用紙幅方向に摺動する平面視略Ｌ字状の幅方向摺動部５１ａ，５２ａと、各幅方向摺動部５１ａ，５２ａの一端から垂直に立設され用紙の幅方向の端部を整合する矩形状の幅規制部５１ｂ，５２ｂとから成る。そして、それぞれの幅方向摺動部５１ａ，５２ａにはガイド溝５１ｃ，５２ｃが設けられており、底壁２１に設けられたリブに係合することにより、サイドカーソル５１，５２の往復移動が安定化されるようになっている。
【００３３】
また、それぞれの幅方向摺動部５１ａ，５２ａのピニオンギア５３と接する側の端縁には、ピニオンギア５３と噛み合うラックギア５１ｄ，５２ｄが形成されている。そして、サイドカーソル５１，５２は、ラックギア５１ｄ，５２ｄが互いに向かい合うように底壁２１に配設され、ピニオンギア５３を介して互いに駆動連結されており、例えば、サイドカーソル５１を用紙の幅方向に摺動させると、ピニオンギア５３を中心としてサイドカーソル５１の摺動方向と逆方向に、サイドカーソル５２がサイドカーソル５１の移動量と同じ量だけ摺動するようになっている。
【００３４】
また、サイドカーソル５１には、図示しないストッパーが設けられており、このストッパーによってサイドカーソル５１を固定することができるようになっている。そして、サイドカーソル５１が固定されると、ピニオンギア５３が回転不能となるため、ピニオンギア５３介してサイドカーソル５２も固定されるようになっている。
【００３５】
ここで、積載される用紙の側端を確実に規制するためには、サイドカーソル５１，５２の幅規制部５１ｂ，５２ｂが所定以上の剛性を有している必要があるが、サイドカーソル５１，５２を樹脂から形成すると十分な剛性を得るためには幅規制部５１ｂ，５２ｂを非常に厚く形成する必要があり、給紙カセット２０の大型化を招くこととなるため、サイドカーソル５１，５２は十分な剛性を有する金属から形成されている。
【００３６】
そして、サイドカーソル５１には接地部材５４（図７〜９参照）が接続されており、これによりサイドカーソル５１に帯電した電荷を逃がされるようになっている。更に、ピニオンギア５３は導電性樹脂から形成されており、これによってサイドカーソル５１と５２とが、ピニオンギア５３を介して電気的に導通をもたらされており、これにより一つの接地部材５４のみで、両サイドカーソル５１及び５２に帯電した電荷を逃がすことができるように構成されている。
【００３７】
ここで、図７〜図９を参照して接地部材５４について説明する。図７は給紙カセットの底壁に配設された接地部材を示す斜視図であり、用紙積載板及び用紙の搬送方向に向かって右側に配設されるサイドカーソルを除外して図示している。図８は図７示す接地部材上にサイドカーソルが配設された状態を図示している。図９は給紙カセットを下方から見た斜視図である。
【００３８】
接地部材５４は、導電性を有する線ばね材を折り曲げ加工してなるものであり、図７に示すように、サイドカーソル５１に接するサイドカーソル側接地部５４ａと、画像形成装置１本体に設けられた導電部材１ｃ（図２参照）に接する本体側接地部５４ｂとが一連に形成され、サイドカーソル側接地部５４ａと本体側接地部５４ｂとが直角を成すように平面視略Ｌ字状に形成されている。そして、接地部材５４は、サイドカーソル側接地部５４ａが用紙幅方向に、本体側接地部５４ｂが用紙搬送方向に向くように配設されている。
【００３９】
そして、サイドカーソル５１が配設されると、図８に示すように、サイドカーソル側接地部５４ａがサイドカーソル５１の幅方向摺動部５１ａの下面に接するようになるが、ここで、サイドカーソル側接地部５４ａには、底壁２１に対して垂直上方へと突出するように曲折形成された、クリック用の突出部５４ｃが設けられており、サイドカーソル５１の幅方向摺動部５１ａには突出部５４ｃと係合する係合部５１ｅが複数設けられている（図５参照）。なお、これらの係合部５１ｅは、サイドカーソル５１が用紙の定型サイズ幅に対応した位置に摺動されたとき突出部５４ｃと係合する位置に設けられている。
【００４０】
そして、突出部５４ｃが係合部５１ｅに係合していないときには、突出部５４ｃは幅方向摺動部５１ａにより押圧されて下方に撓むが、突出部５４ｃが係合部５１ｅに係合しているときには、突出部５４ｃは幅方向摺動部５１ａによって押圧されることなく係合部５１ｅに係合するため、これにより突出部５４ｃの、係合部５１ｅに係合する前後の幅方向摺動部５１ａのすべり抵抗力の変化によるクリック感により、サイドカーソル５１が用紙の定型サイズ幅に対応した位置に摺動されたことを確認することができる。
【００４１】
また、本体側接地部５４ｂには、底壁２１に対して垂直下方へと突出するように曲折形成された接地用の突出部５４ｄが設けられており、底壁２１には突出部５４ｄと対向する位置に貫通孔が穿設され、図９に示すように、突出部５４ｄが底壁２１の裏面側に突出せしめられている。そして、画像形成装置１本体に形成された給紙カセット装着部１ａの下部には導電部材１ｃ（図２参照）が付設されており、給紙カセット２０が装着されると突出部５４ｄが線ばねの付勢力によって導電部材１ｃに圧接されるよう構成されている。
【００４２】
ここで、サイドカーソル５１，５２に設けられたラックギア５１ｄ及び５２ｄとピニオンギア５３との噛合部にガタがあると、サイドカーソル５１がストッパーによって固定されたとき、サイドカーソル５２にガタつきが生じることがあり、かかる場合、サイドカーソル５２とピニオンギア５３との間に接触不良が生じ、導通不良が生じる場合がある。そして、このように導通不良が生じた場合には、サイドカーソル５２に帯電した静電気によって、画像形成装置１に対し異常動作を引き起こすことがあった。
【００４３】
そのため、図６に示すようにサイドカーソル５２の幅方向摺動部５２ａに係合穴５２ｅを穿設し、図４に示すように底壁２１にはこの係合穴５２ｅに対して幅方向内方に位置するように係合突起２８を設けて、これらの係合穴５２ｅと係合突起２８とを結ぶように引張りコイルバネ５５が張架されており、サイドカーソル５２が引張りコイルバネ５５によって常に幅方向内方へと付勢されて、確実にピニオンギア５３に接触されるよう構成されている。
【００４４】
これにより、サイドカーソル５２とピニオンギア５３との間に接触不良が生じることがないため、サイドカーソル５２のアースを確実に取ることができ、サイドカーソル５２に帯電した静電気によって、画像形成装置１に対し異常動作を引き起こすことが防止される。また、サイドカーソル５２を幅方向内方へと付勢することにより、両サイドカーソル５１，５２のガタつきがなくなり、用紙整合が安定しレジストレーション精度も向上する。
【００４５】
なお、本発明は上記実施形態に限られるものではなく、本発明の趣旨を逸脱しない範囲で種々の変更が可能であり、例えば上記実施形態においては、接地部材５４を用紙搬送方向に向かって右側に配設されたサイドカーソル５１に設けたが、これは左側のサイドカーソル５２に接地部材５４を設けてもよく、ピニオンギア５３に設けても構わない。また、上記実施形態では、接地部材５４を線ばね材から形成したが、これは板ばね等から形成することも可能である。
【００４６】
また上記実施形態では、引張りコイルバネ５５によって左側のサイドカーソル５２を幅方向内方へと付勢しているが、これは右側のサイドカーソル５１に引張りコイルバネ５５を取り付けることも可能である。ただし、その場合にはサイドカーソルを固定するストッパーをサイドカーソル５２に設けておくことが好ましい。また更に、両方のサイドカーソル５１，５２に引張りコイルバネ５５を設けることも可能である。また、付勢手段としては、引張りコイルバネの他、圧縮コイルバネ、ねじりコイルバネ等を用いることも可能である。
【産業上の利用可能性】
【００４７】
本発明は、複写機、ファクシミリ及びプリンタ等の画像形成装置に用いられる用紙収納装置に利用することができ、特に収納される用紙の幅方向の端部を整合する幅規制手段を備えた用紙収納装置に利用することができる。
【図面の簡単な説明】
【００４８】
【図１】は、本発明に係る給紙カセットを備えた画像形成装置の全体構成を示す概略構成図である。
【図２】は、給紙カセットが画像形成装置本体から引き出された状態を示す概略斜視図である。
【図３】は、給紙カセットの上方斜視図である。
【図４】は、用紙積載板を除外して図示した、給紙カセットの上方斜視図である。
【図５】は、搬送方向に向かって右側に配設されるサイドカーソルの斜視図である。
【図６】は、搬送方向に向かって左側に配設されるサイドカーソルの斜視図である。
【図７】は、給紙カセットの底壁に配設された接地部材を示す斜視図である。
【図８】は、接地部材上にサイドカーソルが配設された状態を図示している。
【図９】は、給紙カセットの下方斜視図である。
【符号の説明】
【００４９】
１        画像形成装置
１ａ      給紙カセット装着部
１ｂ      ガイドレール
１ｃ      導電部材
２０      給紙カセット（用紙収容装置）
２１      底壁
２２      側壁
２３      後壁
２４      カセットカバー
２５      突条
２６      回動支点
２７      案内レール
２８      係合突起
３０      用紙積載板
３０ａ    載置板
３０ｂ    係合片
４０      後端カーソル
４０ａ    搬送方向摺動部
４０ｂ    後端規制部
５０      幅規制機構
５１，５２  サイドカーソル
５１ａ，５２ａ  幅方向摺動部
５１ｂ，５２ｂ  幅規制部
５１ｃ，５２ｃ  ガイド溝
５１ｄ，５２ｄ  ラックギア
５１ｅ    係合部
５２ｅ    係合穴
５３      ピニオンギア
５４      接地部材
５４ａ    サイドカーソル側接地部
５４ｂ    本体側接地部
５４ｃ    突出部
５４ｄ    突出部
５５      引張りコイルバネ（付勢手段）
【図１】
2008001466.tif 000003
【図２】
2008001466.tif 000004
【図３】
2008001466.tif 000005
【図４】
2008001466.tif 000006
【図５】
2008001466.tif 000007
【図６】
2008001466.tif 000008
【図７】
2008001466.tif 000009
【図８】
2008001466.tif 000010
【図９】
2008001466.tif 000011